(57)【要約】  放送マルチメディアをモバイル機器上で受信するシステム及び方法である。システム及び方法は、モバイル機器に接続する放送受信機アクセサリを利用する。システム及び方法は、放送受信機アクセサリ及びモバイル機器の間に双方向のデータ接続を有する。放送受信機アクセサリはコンテンツを翻訳、再フォーマット及び／又は再パッケージして、モバイル機器上で視聴される形態にする。放送受信機アクセサリはチューナコンポーネント、アプリケーションプロセッサ、音声レンダリング要素及び／又はメモリを有する。【選択図】図１
2010541382.tif 000002
【特許請求の範囲】
【請求項１】
第１の放送サービスからのマルチメディアをモバイル機器上で利用するための放送受信機アクセサリであって、前記マルチメディアは前記第１の放送サービスから第１の放送信号で伝送され、前記第１の放送信号はデジタルトランスポートストリームを有し、またさらに前記マルチメディアは前記第１の放送信号で、前記デジタルトランスポートストリームに第１のフォーマットで伝送され、前記放送受信機アクセサリは、
前記第１の放送信号を前記第１の放送サービスから受信するアンテナと、
前記アンテナに接続される第１の復調器と、
前記第１の復調器に接続されるアプリケーションプロセッサと、
前記アプリケーションプロセッサを前記モバイル機器に接続するデータ接続を備え、
前記第１の復調器は前記第１の放送信号からの前記デジタルトランスポートストリームを回復し、
前記第１の放送信号からの前記マルチメディアは前記アプリケーションプロセッサによって処理され、
前記アプリケーションプロセッサは前記マルチメディアを前記モバイル機器へ前記データ接続を介して伝送され、前記マルチメディアは前記モバイル機器上で利用されることを特徴とする放送受信機アクセサリ。
【請求項２】
前記マルチメディアを処理することにより、前記マルチメディアが前記第１のフォーマットから第２のフォーマットへ変換され、前記第２のフォーマットは前記第１のフォーマットと異なり、またさらに、前記アプリケーションプロセッサは前記マルチメディアを前記モバイル機器へ前記第２のフォーマットで伝送することを特徴とする請求項１記載の放送受信機アクセサリ。
【請求項３】
前記アプリケーションプロセッサが前記第１の復調器に受信された信号周波数を調節することを特徴とする請求項１記載の放送受信機アクセサリ。
【請求項４】
前記アンテナに接続された第２の復調器をさらに備え、前記第２の復調器は前記第１の放送信号と異なる第２の放送信号を処理し、前記第２の放送信号は前記第１の放送サービスと異なる第２の放送サービスから伝送されることを特徴とする請求項１記載の放送受信機アクセサリ。
【請求項５】
前記第１の復調器が第２の放送信号を処理し、前記第２の放送信号は第２の放送サービスから伝送され、またさらに前記第２の放送信号は前記第１の放送信号と異なり、またさらに前記第２の放送サービスは前記第１の放送サービスと異なることを特徴とする請求項１記載の放送受信機アクセサリ。
【請求項６】
前記アプリケーションプロセッサが前記マルチメディアの復号を行うことを特徴とする請求項１記載の放送受信機アクセサリ。
【請求項７】
前記アプリケーションプロセッサに接続された安全なハードウェアをさらに備え、該安全なハードウェアは前記マルチメディアの復号のための鍵を保存することを特徴とする請求項１記載の放送受信機アクセサリ。
【請求項８】
前記モバイル機器に接続するケーブルをさらに備え、該ケーブルは前記モバイル機器から電力を伝送し、またさらに前記ケーブルは前記データ接続を提供することを特徴とする請求項１記載の放送受信機アクセサリ。
【請求項９】
前記アプリケーションプロセッサに接続された音声レンダリング要素をさらに備え、該音声レンダリング要素は前記マルチメディアの音声コンポーネントをレンダリングすることを特徴とする請求項１記載の放送受信機アクセサリ。
【請求項１０】
前記データ接続が安全な接続であることを特徴とする請求項１記載の放送受信機アクセサリ。
【請求項１１】
前記アプリケーションプロセッサに接続された記憶素子をさらに備え、前記第１の放送信号からの前記マルチメディアは前記記憶素子内に保存され、またさらに前記マルチメディアは前記記憶素子から前記モバイル機器へ前記データ接続を介して伝送されることを特徴とする請求項１記載の放送受信機アクセサリ。
【請求項１２】
マルチメディアをモバイル機器上でレンダリングする方法であって、該方法は、
受信機アクセサリを前記モバイル機器に接続する工程と、
利用可能な放送サービスを決定する工程と、
前記モバイル機器がマルチメディアコンテンツを利用可能な放送サービスから受信する権限が与えられているかを決定する工程と、
第１の放送信号を第１の放送サービスから受信する工程と、
前記マルチメディアを前記受信機アクセサリから前記モバイル機器へ伝送する工程と、
前記マルチメディアを前記モバイル機器上でレンダリングする工程を備え、
利用可能な前記放送サービスは前記受信機アクセサリによって決定され、
前記第１の放送サービスは利用可能な前記放送サービスのうちの一つであって、またさらに前記モバイル機器は前記マルチメディアコンテンツを前記第１の放送サービスから受信する権限が与えられており、前記受信機アクセサリは前記第１の放送信号を受信し、前記第１の放送信号内の前記マルチメディアは前記第１の放送サービスから第１のフォーマットで伝送されることを特徴とする方法。
【請求項１３】
前記マルチメディアを前記第１のフォーマットから第２のフォーマットへ変換する工程をさらに備え、前記第１のフォーマットは前記第２のフォーマットと異なり、またさらに前記受信機アクセサリは前記マルチメディアを前記第１のフォーマットから前記第２のフォーマットへ変換すると共に前記マルチメディアを前記第２のフォーマットで前記モバイル機器へ伝送することを特徴とする請求項１２記載の方法。
【請求項１４】
前記モバイル機器からのユーザ入力を承認する工程をさらに備え、前記ユーザ入力は前記第１の放送サービスを利用可能な前記放送サービスのリストから選択することを特徴とする請求項１２記載の方法。
【請求項１５】
前記マルチメディアを前記受信機アクセサリ上で保存する工程をさらに備えることを特徴とする請求項１２記載の方法。
【請求項１６】
前記マルチメディアの音声コンポーネントのレンダリングを前記モバイル機器上の前記マルチメディアの映像コンポーネントのレンダリングと略同時に行う工程をさらに備え、前記マルチメディアの前記音声コンポーネントは前記受信機アクセサリによってレンダリングされることを特徴とする請求項１２記載の方法。
【請求項１７】
前記マルチメディアの復号を行う工程をさらに備え、前記受信機アクセサリは前記復号を行うことを特徴とする請求項１２記載の方法。
【請求項１８】
前記マルチメディアを前記モバイル機器上のユーザ入力によって選択する工程をさらに備え、前記マルチメディアの選択は前記受信機アクセサリから前記モバイル機器への前記マルチメディアの伝送を開始することを特徴とする請求項１２記載の方法。
【請求項１９】
番組ガイドを前記受信機アクセサリから前記モバイル機器へ伝送する工程をさらに備え、前記マルチメディアは前記番組ガイドに載っていることを特徴とする請求項１２記載の方法。
【請求項２０】
第２の放送サービスから伝送された第２の放送信号を処理する工程をさらに備え、前記第２の放送サービスは利用可能な前記放送サービスのうちの一つであって、前記第２の放送信号は前記受信機アクセサリによって処理され、またさらに前記第２の放送信号は前記第１の放送信号と異なり、またさらに前記第２の放送サービスは前記第１の放送サービスと異なることを特徴とする請求項１２記載の方法。
【請求項２１】
番組ガイドを前記受信機アクセサリから前記モバイル機器へ伝送する工程をさらに備え、前記番組ガイドは前記第１の放送サービスからの前記マルチメディア及び第２の放送サービスからのマルチメディアを一覧にし、前記第１の放送サービス及び前記第２の放送サービスは異なる放送サービスであることを特徴とする請求項１２記載の方法。
【請求項２２】
前記電話の呼び出しを行う工程をさらに備え、前記受信機アクセサリは音声入力を承認すると共に音声出力を提供することを特徴とする請求項１２記載の方法。
【請求項２３】
前記受信機アクセサリ及び前記モバイル機器の間の安全な接続を確立する工程をさらに備え、前記マルチメディアは前記受信機アクセサリから前記モバイル機器へ前記安全な接続を利用して伝送されることを特徴とする請求項１２記載の方法。
【請求項２４】
放送サービスからの映像音声コンテンツを利用するためのシステムであって、前記映像音声コンテンツは持ち運び可能なデバイス上で利用され、またさらに前記映像音声コンテンツは前記放送サービスから第１のフォーマットで放送信号にて伝送され、前記システムは、
前記放送信号を前記放送サービスから受信すると共に前記映像音声コンテンツを前記第１のフォーマットから第２のフォーマットに変換する受信機アクセサリと、
前記受信機アクセサリを前記持ち運び可能なデバイスに接続するデータ接続と、
前記持ち運び可能なデバイス上に保存されるアプリケーションを備え、
前記受信機アクセサリは前記映像音声コンテンツを前記第２のフォーマットで前記持ち運び可能なデバイスへ前記データ接続を介して伝送し、
前記アプリケーションは前記受信機アクセサリと前記データ接続を介して相互に作用し、またさらに前記アプリケーションは前記映像音声コンテンツを前記第２のフォーマットでレンダリングし、前記映像音声コンテンツは前記モバイル機器上でレンダリングされることを特徴とするシステム。
【請求項２５】
前記持ち運び可能なデバイスが携帯電話であることを特徴とする請求項２４記載のシステム。
【発明の詳細な説明】
【技術分野】
【０００１】
本出願は２００７年９月２６日出願の米国仮特許出願第６０／９９５，２９２の利益を主張するものである。
【０００２】
本発明は一般に、放送マルチメディアをモバイル機器上で受信するためのシステム及び方法に関する。より詳細には、本発明は、モバイル機器に接続された放送受信機アクセサリを利用する、放送マルチメディアをモバイル機器上で受信するためのシステム及び方法に関するものである。さらに、放送マルチメディアをモバイル機器上で受信するためのシステム及び方法は、放送受信機アクセサリ及びモバイル機器との間に双方向のデータ接続を有する。またさらに、放送マルチメディアをモバイル機器上で受信するためのシステム及び方法は、コンテンツを翻訳、再フォーマット及び／又は再パッケージして、モバイル機器で視聴される形態にする放送受信機アクセサリを有する。さらに、放送マルチメディアをモバイル機器上で受信するためのシステム及び方法は、チューナコンポーネント、アプリケーションプロセッサ、音声レンダリング要素及び／又はメモリを有する放送受信機アクセサリを有する。
【背景技術】
【０００３】
様々な周知のデバイスは、デジタル映像音声放送信号を携帯電話及び／又はその他の携帯型デジタル受信機へ伝送する。技術は規格化され、所有化（proprietary）され、及び／又は規格化と専売が組み合わされているものである。いくつかの周知の例において、モバイル放送の規格は、DVB-H（Digital Video Broadcasting-Handheld）、DMB（Digital Media Broadcasting）、tdTV（IPWireless, Inc.の商標）、MediaFLO（Qualcomm,Inc.の商標）、OMA BCAST（Open Mobile Alliance, Inc.の商標）、及び3GPPMutimedia Broadcast Multicast Service （“3GPP MBMS”）である。一般的な放送信号は、デジタル処理で符号化された映像音声コンテンツを多数の受信機デバイスへ配信するのに用いられる。受信機デバイスは例えば、携帯電話、ＰＤＡ、専用の携帯テレビ受信機又はモバイル放送信号を受信及び表示可能なその他のモバイル機器である。
【発明の概要】
【発明が解決しようとする課題】
【０００４】
デジタル処理で符号化された映像音声コンテンツは内蔵型デバイスへ配信される。この内蔵型デバイスは、モバイル放送受信機ハードウェア、アプリケーションプロセッサ、音声及び映像デコーダ及びレンダリングシステム、ディスプレイ画面及びユーザインターフェースを一つの機器内に内蔵するものである。このような内蔵型デバイスの例は、統合型モバイル放送受信機を有する携帯電話である。内蔵型デバイスを利用するモバイル放送サービスは多数の不都合を有する。携帯電話加入者は通常、携帯電話会社と１年又は２年の契約を交わし、期限前契約解除の場合には大抵違約金を支払う。したがって、内蔵型デバイスのユーザは、契約が終了するまで新たな放送に対応した電話へのアップグレードができず、これにより新たに発足したサービスの購入が鈍る。携帯電話加入者には、携帯電話をアップグレードしないその他の理由がある。つまり、ユーザが新しい電話に加入した場合、例えば、現在の電話にあるアプリケーション、メディア、コンタクト情報、及びその他のカスタマイズされたアプリケーションが失われてしまうためである。これらのユーザは、現在のメディア及びその他のカスタマイズされたアプリケーションに対応しない電話へのアップグレードが必要となる放送サービスへの契約をしたがらない。
【０００５】
さらに、ユーザは、自分が加入したい電話に放送サービスの特定のモバイル放送技術がサポートされていない特定の電話のデザインを好むことがある。放送受信機を携帯電話から独立することにより、ユーザが、自分が契約したい特定の電話のデザイン及び特定の放送サービスを利用可能になるという利点が生まれる。
【０００６】
内蔵型デバイスは大抵、ユーザが電話を交換せずに放送サービスを切り替えることを妨げる。したがって、ユーザが放送サービスを切り替えた場合、ユーザは初期投資を無駄にして放送対応型の電話を得ることとなる。例えば、ユーザは第１のモバイル放送サービスに登録して、対応する電話を入手する。ユーザはその後、第２のモバイル放送サービスに提供されるコンテンツを選好するようになる。しかし、元のサービスの契約を終了させること、及び元の電話を交換することにより第２のモバイル放送サービスへ切り替えることは、費用が高くつく。
【０００７】
内蔵型デバイスは放送サービスと携帯電話会社を不必要に縛りつける。携帯電話会社は携帯電話デバイスに補助金を出すので、内蔵型デバイスに関連するサービス契約は、特定のモバイルネットワーク及び特定の放送サービスの両方の契約にユーザを縛り付ける。モバイル放送機能を携帯電話プロバイダから独立させることにより、ユーザは、自身の携帯電話会社又は放送プロバイダに不満足である場合、いずれかを個別に変更可能である。例えユーザが携帯電話会社を変更しても、放送サービスの質が高いことによりユーザを維持することが可能であり、結果、放送プロバイダに利益がもたらされる。さらに、放送プロバイダが放送サービスの質を維持することができるのは、ユーザが携帯電話サービスの契約のためにモバイル放送サービスを切り替える必要がないためである。
【０００８】
上記の問題は、外部アンテナ及び受信機／チューナ／復調ユニットを既存の携帯電話又は放送受信能力が欠如しているその他のデバイスへ追加することにより解決可能であると思われる。しかしこの方法は、多数の既存のマルチメディア電話が処理能力、ディスプレイ解像度及び／又は特定の映像音声デコーダ要素を有さないために失敗する。これら処理能力、ディスプレイ解像度及び／又は特定の映像音声デコーダ要素は、通常モバイル放送サービスに送られる完全な質の映像音声コンテンツを処理及び表示するのに必要なものである。
【０００９】
したがって、放送マルチメディアをモバイル機器上で受信するためのシステム及び方法が必要とされている。さらに、モバイル機器に接続された放送受信機アクセサリを利用するモバイル機器上で放送マルチメディアを受信するためのシステム及び方法が必要とされている。またさらに、放送受信機アクセサリ及びモバイル機器との間に双方向のデータ接続を有するモバイル機器上で受信するためのシステム及び方法が必要とされている。またさらに、コンテンツを翻訳、再フォーマット及び／又は再パッケージして、モバイル機器で視聴される形態にする放送受信機アクセサリを有する放送マルチメディアをモバイル機器上で受信するためのシステム及び方法が必要とされている。さらに、チューナコンポーネント、アプリケーションプロセッサ、音声レンダリング要素及び／又はメモリを有する放送受信機アクセサリを有する放送マルチメディアをモバイル機器上で受信するためのシステム及び方法が必要とされている。
【課題を解決するための手段】
【００１０】
本発明は一般に、放送マルチメディアをモバイル機器上で受信するためのシステム及び方法に関する。より詳細には、本発明は、モバイル機器に接続された放送受信機アクセサリを利用する、放送マルチメディアをモバイル機器上で受信するためのシステム及び方法に関するものである。さらに、放送マルチメディアをモバイル機器上で受信するためのシステム及び方法は、放送受信機アクセサリ及びモバイルレンダリング機器との間に双方向のデータ接続を有する。またさらに、放送マルチメディアをモバイル機器上で受信するためのシステム及び方法は、コンテンツを翻訳、再フォーマット及び／又は再パッケージして、モバイルレンダリング機器で視聴される形態にする放送受信機アクセサリを有する。さらに、放送マルチメディアをモバイル機器上で受信するためのシステム及び方法は、チューナコンポーネント、アプリケーションプロセッサ、音声レンダリング要素及び／又はメモリを有する放送受信機アクセサリを有する。
【発明の効果】
【００１１】
したがって、本発明の利点は放送マルチメディアをモバイル機器上で受信するためのシステム及び方法を提供することである。
【００１２】
本発明の他の利点は、放送受信機アクセサリ及びモバイルレンダリング機器との間に双方向のデータ接続を有する、放送マルチメディアをモバイル機器上で受信するためのシステム及び方法を提供することである。
【００１３】
また、本発明の他の利点は、モバイル機器に接続された放送受信機アクセサリを有する、放送マルチメディアをモバイル機器上で受信するためのシステム及び方法を提供することである。
【００１４】
さらに本発明の他の利点は、コンテンツを翻訳、再フォーマット及び／又は再パッケージして、モバイルレンダリング機器上で視聴される形態にする放送受信機アクセサリを有する、放送マルチメディアをモバイル機器上で受信するためのシステム及び方法を提供することである。
【００１５】
さらに、本発明の利点は、チューナコンポーネント、アプリケーションプロセッサ、及び／又はメモリを有する放送受信機アクセサリを有する、放送マルチメディアをモバイル機器上で受信するためのシステム及び方法を提供することである。
【００１６】
またさらに、本発明の利点は、ユーザがモバイル放送サービスを携帯電話サービスから独立して有することを可能にする放送マルチメディアをモバイル機器上で受信するためのシステム及び方法を提供することである。
【００１７】
さらに本発明の他の利点は、標準的なデータ接続を利用してモバイル放送性能をモバイル機器へ提供する、放送マルチメディアをモバイル機器上で受信するためのシステム及び方法を提供することである。
【００１８】
またさらに、本発明の利点は、音声レンダリング要素を介したダイレクト音声レンダリングを有するモバイル放送アクセサリを有する、放送マルチメディアをモバイル機器上で受信するためのシステム及び方法を提供することである。
【００１９】
さらに、本発明の利点は、複数の放送加入をサポートする放送マルチメディアをモバイル機器上で受信するためのシステム及び方法を提供することである。
【００２０】
本発明の追加的な特徴及び利点は、現在の好適な実施形態の詳細な記述及び図面に記載されると共に、それらから明らかなものとなる。
【図面の簡単な説明】
【００２１】
【図１】本発明の実施形態における、モバイル機器上で放送マルチメディアを受信するためのシステムを説明する。
【図２】本発明の実施形態における、モバイル機器上で放送マルチメディアを受信するための方法のフローチャートを説明する。
【発明を実施するための形態】
【００２２】
本発明は一般に、放送マルチメディアをモバイル機器上で受信するためのシステム及び方法に関する。より詳細には、本発明は、モバイル機器に接続された放送受信機アクセサリを利用する、放送マルチメディアをモバイル機器上で受信するためのシステム及び方法に関するものである。さらに、放送マルチメディアをモバイル機器上で受信するためのシステム及び方法は、放送受信機アクセサリ及びモバイル機器との間に双方向のデータ接続を有する。またさらに、放送マルチメディアをモバイル機器上で受信するためのシステム及び方法は、コンテンツを翻訳、再フォーマット及び／又は再パッケージして、モバイル機器で視聴される形態にする放送受信機アクセサリを有する。さらに、放送マルチメディアをモバイル機器上で受信するためのシステム及び方法は、チューナコンポーネント、アプリケーションプロセッサ、音声レンダリング要素及び／又はメモリを有する放送受信機アクセサリを有する。
【００２３】
次に図面を参照する。ここで、同じ符号は同じ部分を指す。図１はシステム（１０）を説明し、システム（１０）はモバイル機器（１４）を有する。モバイル機器（１４）は例えば、セルラー方式移動電話、携帯用情報端末（PDA）、４Ｇモバイル機器、３Ｇモバイル機器、２．５Ｇモバイル機器、インターネットプロトコル（以下「ＩＰ」とする）ビデオセルラー方式電話、オールＩＰ電子機器、衛星ラジオ受信機、ポータブルデジタルオーディオプレイヤ、ポータブルデジタルビデオプレイヤ及び／又は同類のものである。モバイル機器（１４）は映像を表示する性能を有する任意のモバイル機器であるが、特定のモバイル放送サービスを受信する性能は有さないこともある。モバイル機器（１４）は、放送信号を受信及び／又は利用するのに必要なアンテナ、受信機ハードウェア、復調器及び／又はチューナを有さないこともある。したがって、モバイル機器（１４）は、放送信号内に存在する完全な質の映像音声コンテンツを処理及び／又はレンダリングすることができない。例えば、モバイル機器（１４）は完全な質のコンテンツをデコード及び／又はレンダリングすることができない、及び／又は、放送信号のコンテンツの最大解像度の映像部分を表示することができない。
【００２４】
モバイル機器（１４）は、マルチメディアの視聴、利用、及び／又は表示のためのディスプレイ（１５）を有する。モバイル機器（１４）は、１又はそれ以上のスピーカ及び／又はヘッドフォンジャックを有する音声レンダリングシステム（１６）を有する。モバイル機器（１４）上のユーザインターフェース（１７）は、例えば、ボタン、タッチパッド、タッチスクリーン及び／又はトラックボール等であって、ユーザがモバイル機器（１４）に入力をもたらすことを可能にする。
【００２５】
モバイル機器（１４）は、放送受信機アクセサリ（３０）との通信のためにデータ接続インターフェース（２０）を有する。データ接続インターフェース（２０）は例えば、ユニバーサルシリアルバス（USB）、Bluetooth（Bluetooth, Inc.の商標）、ワイヤレス接続、IEEE 802.11（WiFi）規格に基づくワイヤレス接続又は同類のものである。本発明はデータ接続インターフェース（２０）の特定の理解によって制限されるべきではない。
【００２６】
放送受信機アクセサリ（３０）は放送信号を受信し、放送信号を復調して映像音声コンテンツ及び／又は番組情報を放送するデジタルトランスポートストリームを回復し、映像音声コンテンツを別のコードに変換及び／又は再パッケージしてモバイル機器（１４）に適切なフォーマットにする、及び／又は映像音声コンテンツ及び番組情報をモバイル機器（１４）に提供する。
【００２７】
モバイル機器（１４）はソフトウェアアプリケーションを有し、これは放送受信機アクセサリ（３０）とデータ接続（４０）を介して相互に作用する。データ接続（４０）はデータ接続インターフェース（２０）によって制御される。ソフトウェアアプリケーションはモバイル機器（１４）と相互に作用する、及び／又は、ユーザインターフェース（１７）からの入力を受信する。ソフトウェアアプリケーションによって、ユーザはコンテンツ及び／又は電子番組ガイド内の関連するメタデータを閲覧し、利用する映像音声コンテンツを選択し、選択された映像音声コンテンツを利用し、放送チャンネルを切り替える、及び／又は、選択された映像音声コンテンツを後に視聴するために記録することが可能である。
【００２８】
モバイル機器（１４）は、ソフトウェアアプリケーションを実行する第１のアプリケーションプロセッサ（１８）を有する。さらに、第１のアプリケーションプロセッサ（１８）は、放送受信機アクセサリ（３０）によって提供される音声信号及び映像信号を承認、処理及び／又はレンダリングする。第１のアプリケーションプロセッサ（１８）は関連するハードウェアデコーダアクセラレータ（図示せず）を有する。このハードウェアデコーダアクセラレータは、音声信号及び／又は映像信号の処理及び／又はレンダリングを加速する。
【００２９】
ソフトウェアアプリケーションはモバイル機器（１４）にプリインストールされている。結果として、モバイル機器（１４）の購入時又は獲得時に、モバイル機器（１４）はソフトウェアアプリケーションを有している。また、購入後、例えばユーザが放送サービスに加入した時等に、ソフトウェアアプリケーションはモバイル機器（１４）にインストールされる。ソフトウェアアプリケーションはユーザ及び／又はサービス技術者によって、遠隔で又は事業者の店舗立地にてインストールされる。
【００３０】
ソフトウェアアプリケーションはJAVAプログラミング言語（Sun Microsystems, Inc.の商標）又は同様のプログラミング言語で記述される。ソフトウェアアプリケーションはJ2ME等のJAVAの特定のモバイル派生であり、及び／又はモバイル機器（１４）上で利用可能なJSR-135等の標準のマルチメディアインターフェースを利用する。
【００３１】
放送受信機アクセサリ（３０）は放送信号を受信し、放送信号を復調して映像音声コンテンツ及び番組情報を伝達するデジタルトランスポートストリームを回復し、及び／又は映像音声コンテンツ及び番組情報をモバイル機器（１４）に提供する。放送受信機アクセサリ（３０）はアンテナ（３１）及び／又は受信機／復調器／チューナ（３２）を有する。アンテナ（３１）は受信機／復調器／チューナ（３２）に接続されている。受信機／復調器／チューナ（３２）からの出力はデジタルトランスポートストリームである。デジタルトランスポートストリームは多重送信を伝達し、これは２又はそれ以上の一連の信号又はメッセージを１つのチャンネル上で同時に伝送するものである。多重送信は、圧縮された音声及び／又は映像ビットストリーム、同期情報及び／又はタイミング情報、及び／又は番組情報を有する。
【００３２】
受信機／復調器／チューナ（３２）は圧縮された音声及び映像ビットストリーム、同期情報及び／又はタイミング情報、及び番組情報を第２のアプリケーションプロセッサ（３３）へ提供する。放送受信機アクセサリ（３０）は複数の受信機／復調器／チューナ（３２）を有し、異なる放送サービスからの複数の放送技術を同時にサポートする。また、放送受信機アクセサリ（３０）は多目的の受信機／復調器／チューナ（３２）を有し、異なる放送サービスからの複数の放送技術を同時にサポートする。ユーザは、複数の放送技術からのコンテンツの組み合わせが提供され、及び／又はユーザは異なる放送サービス間で切り替えを行う。
【００３３】
放送受信機アクセサリ（３０）は第２のアプリケーションプロセッサ（３３）を有する。第２のアプリケーションプロセッサ（３３）は受信機／復調器／チューナ（３２）に接続する。第２のアプリケーションプロセッサ（３３）は受信機／復調器／チューナ（３２）を構成し、これは例えば、受信機／復調器／チューナ（３２）の周波数を設定すること及び／又は利用可能なデジタルトランスポートストリームからの特定のデジタルトランスポートストリームを選択すること等である。したがって、第２のアプリケーションプロセッサ（３３）と受信機／復調器／チューナ（３２）との接続は双方向である。第２のアプリケーションプロセッサ（３３）は、性能情報をモバイル機器（１４）上で動作するソフトウェアアプリケーションとやりとりする。これにより、コンテンツフォーマット、音声及び映像コーデック、コンテンツ符号化パラメータ、及び／又はモバイル機器（１４）にサポートされる同様の性能が決定される。
【００３４】
第２のアプリケーションプロセッサ（３３）は映像音声コンテンツ及び／又は番組ガイド情報をモバイル機器（１４）にデータ接続（４０）を介して提供する。第２のアプリケーションプロセッサはコンテンツ選択情報をモバイル機器（１４）からデータ接続（４０）を介して受信すると共に、ユーザが視聴する映像音声コンテンツを選択することを可能にする。第２のアプリケーションプロセッサ（３３）は放送信号から受信したコンテンツを調節、別のコードに変換し、及び／又は変形し、モバイル機器（１４）の性能に適合させる。モバイル機器（１４）が放送信号を変形することなく承認可能である場合、次に第２のアプリケーションプロセッサ（３３）は別のコードに変換することなくコンテンツをモバイル機器（１４）へ移動させる。
【００３５】
映像音声コンテンツは暗号化される。第２のアプリケーションプロセッサ（３３）は映像音声コンテンツの復号を実行する。放送受信機アクセサリ（３０）は鍵管理システムを有し、これは映像音声コンテンツの復号に必要な鍵を保存するシステムである。放送受信機アクセサリ（３０）は安全なハードウェア（３９）を有し、このハードウェア（３９）が鍵管理システムを含むことにより、復号を実行するのに必要ないくつか或いは全ての鍵への不正アクセスが防止される。安全なハードウェア（３９）はSIMカード、スマートカード、セキュアデジタル（SD）カード及び／又は通常の知識を有する者に周知のその他の安全なハードウェア要素である。本発明は安全なハードウェア（３９）の特定の実施形態に制限されるべきでない。
【００３６】
放送受信機アクセサリ（３０）は電力を供給するためのバッテリ（３４）を備える。またバッテリ充電機構（図示せず）も提供される。また、放送受信機アクセサリ（３０）はテザーケーブル（３５）を利用してモバイル機器（１４）から電力を得る。テザーケーブル（３５）はデータ接続（４０）も行う。放送受信機アクセサリ（３０）は音声レンダリング要素（３６）を有する。音声レンダリング要素（３６）は代替レンダリングパスを提供する。例えば、放送受信機アクセサリ（３０）は放送受信機アクセサリに受信された音声コンテンツをデコードすると共に、音声レンダリング要素（３６）を介して音声コンテンツをレンダリングする。音声レンダリング要素（３６）はヘッドフォン及び／又はスピーカに有線接続、例えばヘッドフォンジャック等を介して接続される。また、音声レンダリング要素（３６）は例えばBluetooth接続等のワイヤレス接続を有する。映像レンダリングは音声レンダリングと同時に起こり、例えば音声レンダリング要素（３６）は音声コンテンツをレンダリングし、またモバイル機器（１４）は映像コンテンツをレンダリングする。
【００３７】
マイクロフォン要素（３７）は音声入力を承認する。マイクロフォン要素（３７）は音声レンダリング要素（３６）と同時に動作し、ハンズフリー電話アクセサリを提供する。例えば、マイクロフォン要素（３７）及び音声レンダリング要素（３６）は、ユーザが放送受信機アクセサリ（３０）を利用して、電話の発信を行う、及び／又は、電話の着信を受けることを可能にする。マイクロフォン要素（３７）は放送受信機アクセサリ（３０）と一体化されている。また、マイクロフォン要素（３７）は放送受信機アクセサリの外側にあって、モバイル放送アクセサリ（３０）と有線接続又はワイヤレス接続を介して通信する。
【００３８】
図２は一般的に、本発明の実施形態における放送マルチメディアをモバイル機器上で受信するための方法（１００）を説明する。工程（１０１）で示される通り、接続は放送モバイルアクセサリ（３０）及びモバイル機器（１４）の間で開始される。工程（１０２）で示される通り、接続は性能情報をやりとりし、コンテンツのフォーマット、データのタイプ及び／又は符号化パラメータを設定して放送モバイルアクセサリ（３０）及びモバイル機器（１４）間で利用されるようにする。工程（１０３）で示される通り、モバイル放送アクセサリ（３０）は利用可能な放送サービスを決定する。工程（１０４）で示される通り、サービス利用権及び／又は認証情報は、接続を介してやりとりされる。サービス利用権及び／又は認証情報は、モバイル機器（１４）からモバイル放送アクセサリ（３０）へ伝送され、モバイル放送アクセサリ（３０）が放送サービスにアクセス可能となる。工程（１０５）で示される通り、番組ガイド情報はモバイル機器（１４）に接続を介して送信される。工程（１０６）で示される通り、ユーザはコンテンツ選択情報を入力する。
【００３９】
選択された音声及び映像ビットストリームは、受信されたデジタルトランスポートストリームから得られる。デジタルトランスポートストリームは解析され、音声及び映像サブストリームは逆多重化され、及び／又はデジタル著作権管理（DRM）及び関連する復号が実行される。
【００４０】
工程（１０７）で示される通り、音声及び映像データは処理される。放送受信機アクセサリ（３０）が音声レンダリング要素（３６）を有する、及び／又は、音声をレンダリングするよう構成されている場合、受信された音声は音声レンダリング要素（３６）上でレンダリングするためにデコードされ、及び／又は別のコードで変換される。レンダリングは、有線ヘッドフォン等へのダイレクトレンダリングを含む、或いは音声及び映像データをBluetoothヘッドフォンへ伝送するために再符号化することを含む。放送受信機アクセサリ（３０）が音声レンダリング要素（３６）を有さない場合、或いは放送受信機デバイス（３０）がモバイル機器（１４）を介して音声をレンダリングするよう構成されている場合、次に音声データはモバイル機器（１４）の性能に適合するようデコード及び／又は別のコードに変換される。音声コンテンツはモバイル機器（１４）へ接続を介して送信される。モバイル放送アクセサリ（３０）は、コンテンツの利用可能性が変化するとアップデートされた番組ガイド情報をモバイル機器（１４）に提供する。
【００４１】
モバイル機器（１４）上で動作するソフトウェアアプリケーションは、モバイル放送アクセサリ（３０）、モバイル機器（１４）の音声及び映像デコード及びレンダリング性能と通信する。音声及び／又は映像ビットストリームは不変の形状でモバイル機器（１４）に伝送されるか、或いはモバイル機器（１４）の音声及び映像デコード及びレンダリング性能に適合するよう変形及び／又は別のコードに変換される。例えば、放送サービスによって配信された音声ビットストリームが、32kbps（キロビット毎秒）でエンコードされたaacPlusの音声ストリームである場合、またモバイル機器（１４）によって表現される音声デコード性能がaacPlusの音声デコードを含まない場合、音声ビットストリームは、モバイル機器（１４）に配信される前に別のコードに変換され、48kbps AACの音声ビットストリームになる。さらなる例として、放送サービスによって配信された映像ビットストリームが、384kbps（キロビット毎秒）で15fps（フレーム毎秒）のQVGA（Quarter Video Graphics Array（ビデオグラフィックスアレイの４分の１）でエンコードされたH.264の映像ストリーム、またモバイル機器（１４）によって表現される映像デコード性能がH.264デコードを含まず、或いはQVGAディスプレイ解像度をサポートしない場合、ビットストリームは200kbpsで15fpsのQCIF（Quarter Common Intermediate Format（共通中間フォーマットの４分の１）で別のコードに変換され、H.263映像ビットストリームになる。工程（１０８）に示される通り、残りの音声及び／又は映像ビットストリームは次にモバイル機器（１４）へ送信され、デコード及び／又はレンダリングを行う。
【００４２】
モバイル放送アクセサリ（３０）は安全な接続をモバイル機器（１４）と確立する。安全な接続の例となる技術は、デジタル伝送コンテンツ保護（DTCP）、バーゼル（スイス）のSecure Digital Container Corporationによるデジタル著作権管理（SDC DRM）、IPセキュリティ（IPSec）及びトランスポート層セキュリティ（TLS）である。放送サービスプロバイダはセキュリティ要件を設定し、このセキュリティ要件は安全な接続に用いられる技術を決定する。本発明は特定の安全な接続技術に制限されるべきでない。
【００４３】
工程（１０９）に示される通り、モバイル機器（１４）へのユーザ入力はマルチメディアの利用を制御する。例えば、ユーザは新たなコンテンツを選択し、放送チャンネルを変更し、視聴を終了し、及び／又はマルチメディアの利用に影響するその他の変化を起こす。モバイル機器（１４）は適切な信号をモバイル放送アクセサリ（３０）に接続を介して送信し、ユーザ入力をモバイル放送アクセサリ（３０）へ伝送する。モバイル放送アクセサリ（３０）はデジタルトランスポートストリーム及び／又は受信機／復調器／チューナ（３２）の構成を調節、処理及び／又は変形することによってユーザ入力に反応し、ユーザ入力のコマンドを実行する。さらに、ソフトウェアアプリケーションによって、コンテンツがモバイル機器（１４）上に記録可能となる。コンテンツは後の視聴のために、モバイル機器（１４）上のローカルストレージ（３８）及び／又はモバイル放送アクセサリ（３０）に配置される。
【００４４】
モバイル機器（１４）上のソフトウェアアプリケーションはカスタムソフトウェアであって、これは放送受信機アクセサリ（３０）と相互に作用する及び／又は放送受信機アクセサリ（３０）を制御するために特別に設計されたものである。また、ソフトウェアアプリケーションは標準ソフトウェアコンポーネントで構成される、及び／又は標準ソフトウェアコンポーネントを有する。このソフトウェアコンポーネントは周知の標準プロトコルを利用して、放送受信機アクセサリ（３０）と相互に作用する及び／又は放送受信機アクセサリ（３０）を制御可能である。例えば、モバイル機器（１４）上のソフトウェアアプリケーションは標準のウェブブラウザ及び／又はメディアプレーヤを有し、これは、標準のウェブプロトコル及びフォーマットを利用しデータ接続（４０）を介して、放送受信機アクセサリ（３０）と相互に作用する。この例において、放送受信機アクセサリ（３０）はウェブサーバの役割を果たす。放送受信機アクセサリ（３０）によって、モバイル機器（１４）のユーザは、モバイル機器（１４）上の標準のウェブブラウザを利用して、HTML等の標準のウェブフォーマットで電子番組ガイドを閲覧することができる。視聴するコンテンツが選択されると、モバイル機器（１４）はRTSP又はHTTP等の標準プロトコルを利用してコンテンツを要求する。放送受信アクセサリ（３０）は次に、RTSP又はHTTPメディアのセッションとの関連において、映像音声コンテンツをモバイル機器（１４）へ配信する。映像音声コンテンツはモバイル機器（１４）へデータ接続（４０）を介して移動され、及び／又は、モバイル機器（１４）上で動作する標準のメディアプレーヤでデコード及びレンダリングされる。放送受信機アクセサリ（３０）のコンテンツの別コードへの変換及び／又は再パッケージ機能は、電子番組ガイドを標準のウェブブラウザ上で見ることが可能なフォーマットに変換する。放送受信機アクセサリ（３０）のコンテンツの別コードへの変換及び／又は再パッケージ機能は、映像音声コンテンツを、パケタイズされたRTP又は3GPPプログレッシブダウンロードファイル等のフォーマットに再パッケージする。パケタイズされたRTP又は3GPPプログレッシブダウンロードファイルは、モバイル機器（１４）上の標準のブラウザ及びメディアプレーヤコンポーネントへの配信に好適である。
【００４５】
本明細書に記載された現在の好適な実施形態への様々な変更及び変形は、当然のことながら当業者にとって明らかである。このような変更及び変形は本発明の精神及び範囲から逸脱することなく、また付随するその利点を損なうことなくなされる。したがって、このような変更及び変形は添付の請求項の範囲内に及ぶことが意図されている。
【図１】
2010541382.tif 000003
【図２】
2010541382.tif 000004
【国際調査報告】
2010541382.tif 000005